(57)【要約】【課題】電池を異常に使用した場合においても、電池ケース内部のガス流路を遮断することなく、電池ケース外部に効率的にガス排気ができる非水電解質二次電池を提供することを目的とする。【解決手段】電極群と封口板との間に、貫通孔を有する上部絶縁板を配置する。上部絶縁板は、湾曲した形状であって、電極群の方向に湾曲するよう配置される。このような構成により、異常時にガスの圧力が集中する中央部付近の強度を高くすることができる。よって、電極群の移動を抑制し、電池ケース内部のガス流路を遮断することなく電池ケース外部に効率的にガス排気ができるため、電池の安全性を向上することができる。【選択図】図１
2012204226.tif 000002
【特許請求の範囲】
【請求項１】
正極と負極とをセパレータを介して巻回した電極群を、開口部を有する電池ケースに収納し、前記開口部を封口板で封口した非水電解質二次電池であって、
前記封口板は、前記電池ケースの内部圧力が所定値に達した時に作動する排気機構を有しており、
前記電極群と前記封口板との間には、貫通孔を有する上部絶縁板を備えており、
前記上部絶縁板は、湾曲した形状であって、前記電極群の方向に湾曲するよう配置される非水電解質二次電池。
【請求項２】
前記上部絶縁板の曲率は、０．０２／ｍｍ以上０．０７／ｍｍ以下である請求項１記載の非水電解質二次電池。
【請求項３】
前記上部絶縁板の厚みは、０．３ｍｍ以上１．０ｍｍ以下である請求項１または２記載の非水電解質二次電池。
【発明の詳細な説明】
【技術分野】
【０００１】
本発明は、非水電解質二次電池に関し、特に円筒形電池の安全性を向上させるための絶縁板構造に関する。
【背景技術】
【０００２】
円筒形電池は、一般に、有底円筒形の金属製の電池ケースに発電要素を収納し、その開口部を封口板（組立封口体を含む）により封口して密閉し構成される。リチウムイオン二次電池等の非水電解質二次電池においては、発電要素は、電極群および電解質により構成される。電極群は、正極および負極を、セパレータを介して渦巻き状に巻回して構成される。セパレータは、正極と負極との間を絶縁するとともに、電解質を保持する機能を有している。また、封口板と電池ケースに電極群から導出された正、負極リードを接続することにより、封口板と電池ケースは正、負極のどちらかの外部端子を兼ねている。さらに、電池ケースに挿入された電極群と封口板との間には上部絶縁板が設けられ、電極群と電池ケースとの間には下部絶縁板が設けられることで、電極群は封口板や電池ケースと電気的に絶縁されている。
【０００３】
このような構成の非水電解質二次電池では、落下衝撃時において、電極群が電池ケース内で移動して破損する可能性があった。
【０００４】
上記問題を解決するために、例えば、電極群の周辺部に相当する箇所に突起を設けた上部絶縁板を用いて電極群が移動しないように構成した構造や、上部絶縁板の中央に中芯を圧入させることで電池ケースの内壁と中芯で突っ張って電極群を固定する構造などが提案されている（例えば、特許文献１、２参照）。
【先行技術文献】
【特許文献】
【０００５】
【特許文献１】特開２００６−３５１４７１号公報
【特許文献２】特開２００３−３１７８０５号公報
【発明の概要】
【発明が解決しようとする課題】
【０００６】
一般的な非水電解質二次電池は、過充電などの異常により、電池ケース内でガスが発生することを想定して、電池ケースの内部圧力が所定値に達したときに作動する排出機構を封口板に備えている。
【０００７】
一方、近年、電子機器の多機能化に伴って、電池の高容量化が推進されている中、上記異常が発生したときの電池ケース内部の圧力の上昇もますます大きくなっている。
【０００８】
そのような状況において、電池の異常により、上記封口板の排出機構が作動し、電池ケースの外部へガスが排出される場合、特許文献１のような上部絶縁板では、ガス排出による圧力が集中する中央部付近の強度が弱く、上部絶縁板が破壊される可能性があった。よって、電極群が移動して封口板に形成されたガス排気流路を遮断したり、さらには電極群が外部へ飛び出したりする危険性があった。
【０００９】
また、特許文献２のような構造では、電池ケースへの挿入性が悪いため、電池の作製が困難であった。
【００１０】
本発明は、かかる課題に鑑みなされたもので、生産性が高く、電池が異常状態に置かれた場合であっても、電極群の移動を抑制し、電池ケース内部のガス排出流路を遮断することなく、電池ケース外部に効率的にガスを排気できる非水電解質二次電池を提供することを目的とする。
【課題を解決するための手段】
【００１１】
上記目的を達成するために、本発明の非水電解質二次電池は、正極と負極とをセパレータを介して巻回した電極群を、開口部を有する電池ケースに収納し、前記開口部を封口板で封口した非水電解質二次電池であって、前記封口板は、前記電池ケースの内部圧力が所定値に達した時に作動する排気機構を有しており、前記電極群と前記封口板との間には、貫通孔を有する上部絶縁板を備えており、前記上部絶縁板は、湾曲した形状であって、前記電極群の方向に湾曲するよう配置されることを特徴とする。
【００１２】
このような構成とすることで、過充電などの異常でガスが発生し、ガス排出により中央部付近の圧力が増加しても、電極群と封口板との間に配された上部絶縁板が湾曲した形状であることにより、中央部の強度が強く、上部絶縁板の破壊を抑えることができる。したがって、電極群の移動によるガス排気流路の遮断や、電極群の飛び出しを防止することができる。
【発明の効果】
【００１３】
本発明によれば、過充電などの異常でガスが発生した際に、電池ケース内部のガス排出流路を遮断することなく電池ケース外部に効率的にガス排気ができるとともに、電極群の飛び出しを防止することで、安全性に優れた非水電解質二次電池を得ることができる。
【図面の簡単な説明】
【００１４】
【図１】本発明の一実施形態に係る非水電解質二次電池の概略構成を示す断面図
【図２】（ａ）本発明の一実施形態に係る上部絶縁板の上面図、（ｂ）本発明の一実施形態に係る上部絶縁板の断面図
【発明を実施するための形態】
【００１５】
本発明の非水電解質二次電池は、正極と負極とをセパレータを介して巻回した電極群を、開口部を有する電池ケースに収納し、前記開口部を封口板で封口した非水電解質二次電池であって、前記封口板は、前記電池ケースの内部圧力が所定値に達した時に作動する排気機構を有しており、前記電極群と前記封口板との間には、貫通孔を有する上部絶縁板を備えており、前記上部絶縁板は、湾曲した形状であって、前記電極群の方向に湾曲するよう配置されることを特徴とする。
【００１６】
正極と負極とをセパレータを介して巻回した電極群を備えた構造では、中央部に空隙が存在するため、電池の異常状態において、急激な圧力上昇が起こった場合、電池ケース内部における圧力は均等ではなく、特に、その中央部において圧力密度が瞬時に高くなる。したがって、電極群の上部に位置する上部絶縁板においても、その中央部にかかる圧力が高くなる。
【００１７】
本発明に係る非水電解質二次電池は、上部絶縁板を湾曲した形状とし、その湾曲が電極群に対向するよう配置する。そのため、上部絶縁板の中央部にかかる圧力が高くなっても、湾曲した形状により中央部の強度が強く、上部絶縁板の破壊を抑えることができる。その結果、電極群の移動によるガス排気流路の遮断を防止し電池外部に効率的にガス排気ができるとともに、電極群の飛び出しを防止することができる。さらに、仮に上部絶縁板が封口板の方向に移動し、上部絶縁板の外縁部が封口板と接触したとても、電極群方向に湾曲している構造であるため、封口板との上部絶縁板と間の空間が保持され、封口板のガス
排出流路を塞ぐことを防ぐことができる。
【００１８】
本発明は、通常用いられている上部絶縁板を本発明に係る上部絶縁板に変更するのみで、本発明が実施できるため生産工程が増えることなく、また電池ケースへの挿入性を損なうことも無い。
【００１９】
また、上部絶縁板の強度が強くなるため、ガス排出のための貫通孔を大きくしても電極群の移動を抑えることが可能となることから、ガスを効率よく排気することができる。
【００２０】
さらに、電極群の移動を抑制するには、上部絶縁板は厚いものほど強度が高く望ましいが、湾曲した形状とすることで、薄く形成しても強度が維持できるため、安価に作成することが可能となる。
【００２１】
また、本発明において、上部絶縁板は、耐熱性の観点からポリオレフィン系樹脂およびポリイミド系樹脂から選ばれる少なくとも１種からなることが好ましい。また、耐熱性および強度の観点から、ガラスクロスを基材とし無機添加剤を含むフェノール樹脂から構成されていてもよい。上記無機添加物としては、アルミナ、シリカ、水酸化アルミニウム、水酸化カルシウム、水酸化マグネシウム、及び炭酸カルシウムからなる群より選ばれた少なくとも一種であることが好ましい。
【００２２】
また、本発明において、湾曲した上部絶縁板は、その曲率が０．０２／ｍｍ以上０．０７／ｍｍ以下であることが望ましい。曲率が０．０２／ｍｍより小さい場合は、異常に使用した場合において、変形に対する耐圧が低く、電極群の移動を十分抑制できないため望ましくない。また、０．０７／ｍｍより大きい場合は、電池内部空間の利用効率の観点から望ましくない。
【００２３】
また、本発明において、上部絶縁板は、その厚みが０．３ｍｍ以上１．０ｍｍ以下であることが望ましい。０．３ｍｍより薄いと十分な変形に対する耐圧が得られなく、電極群の移動を十分抑制できないため望ましくない。また、１．０ｍｍより厚くすると、電池ケース内で必要以上の体積を占め容量を損なってしまう上、コストの観点からも望ましくない。
【００２４】
以下、実施の形態について、図面を参照し、詳細に説明する。
【００２５】
図１に本発明の一実施の形態に係る円筒形電池の概略構成を断面図により示す。図示例の電池１０は、円筒形のリチウムイオン二次電池であり、正極２と、負極３と、それらの間に介在するセパレータ４とを渦巻き状に巻回して構成された電極群１８を備えている。電極群１８は、図示しない非水電解質とともに有底円筒型の金属製の電池ケース１に収納される。電池ケース１の開口部は封口板５により封口され、これにより電極群１８および非水電解質は電池ケース１の内部に密閉される。
【００２６】
ここで、電池ケース１の内部において、電極群１８の上側には、電極群側へ湾曲した上部絶縁板８Ａが、電極群１８の下側には下部絶縁板８Ｂが配設される。上部絶縁板８Ａの外縁部は、図１に示すように、電池ケース溝部１７で支持され、湾曲した中央部は、電極群１８と接して配置されるため、電極群は、上部絶縁板８Ａにより固定される。
【００２７】
封口板５は、導体からなる、ハット状の端子板１１、環状のＰＴＣ（ｐｏｓｉｔｉｖｅ
ｔｅｍｐｅｒａｔｕｒｅ  ｃｏｅｆｆｉｃｉｅｎｔ：  正温度係数）サーミスタ板１２、円形の上側弁板１３および下側弁板１５、並びに基板１６と、絶縁体からなる環状の組立体用ガスケット１４とから構成される。組立体用ガスケット１４は上側弁板１３の周辺
部と下側弁板１５の周辺部との間に配設されて、上側弁板１３の周辺部と下側弁板１５の周辺部とが接触するのを防いでいる。また、組立体用ガスケット１４は、基板１６と端子板１１の周縁部とが接触しないように、両者の間に介在される。
【００２８】
封口板５の周縁部と電池ケース１の開口部との間には、絶縁体からなるガスケット９が配設される。ガスケット９は、封口板５と電池ケース１との間を封止するとともに、それらの間を絶縁している。
【００２９】
端子板１１とＰＴＣサーミスタ板１２とはそれらの周辺部で接触している。ＰＴＣサーミスタ板１２と上側弁板１３とはそれらの周辺部で接触している。上側弁板１３と下側弁板１５とはそれらの中央部で接触している。下側弁板１５と基板１６とはそれらの周辺部で接触している。以上の結果、端子板１１と基板１６とは互いに導通されている。
【００３０】
封口板５の基板１６は正極２と正極リード６を介して導通される。その結果、封口板５の端子板１１が、電池１０の正極側の外部端子として機能する。一方、電池ケース１が、負極３と負極リード７を介して導通されて、電池１０の負極側の外部端子として機能する。
【００３１】
基板１６は、薄い円皿状の本体と、その周縁部から立ち上がる円筒部とを有している。基板１６の本体の周辺部の上には下側弁板１５が載置され、その周辺部の上に組立体用ガスケット１４が載置され、さらにその上に、上側弁板１３、ＰＴＣサーミスタ板１２および端子板１１がこの順に載置される。
【００３２】
封口板５の端子板１１は、複数の外部ガス抜き孔２０を有している。基板１６もまた複数の内部ガス抜き孔１９を有している。上側弁板１３は、環状の破断可能溝により囲われた円形の破断可能部が中央部に形成されている。破断可能部が破断すると、そこに弁孔が形成される。
【００３３】
一方、下側弁板１５は、環状の破断可能溝により囲われた円形の破断可能部が中央部に形成されている。破断可能部が破断すると、そこに弁孔が形成される。
【００３４】
以上の構成により、何らかの事故で電池ケース１内部の圧力が異常に上昇したときには、上側弁板１３および下側弁板１５の破断可能部が押し破られて、上側弁板１３および下側弁板１５に図示しない弁孔が形成される。その結果、電池ケース１の内部のガスが、基板１６の内部ガス抜き孔１９、上側弁板１３および下側弁板１５の上記弁孔、並びに端子板１１の外部ガス抜き孔２０を通過して外部に放出される。このような構成とすることで、電池ケースの内部圧力が所定値に達した時に作動する排気機構が封口板５に備えられる。
【００３５】
図２（ａ）、（ｂ）は、本発明に係る非水電解質二次電池に用いられる上部絶縁板を示す図である。
【００３６】
上記のような排気機構が作動する場合において、巻回された電極群では、中央部に空間ができるためガスの排気が集中する。さらに、電池ケース１内部の圧力が異常に上昇すると、上部絶縁板８Ａの貫通孔２１を通り、基板１６の内部ガス抜き孔１９に向かってガスが排出される。
【００３７】
従来の非水電解質二次電池によれば、上記のような異常時において、排出されるガスの圧力により、電極群が上部絶縁板を押し上げ、上部絶縁板と基板との間にある空間へ変形しながら移動するため、上部絶縁板の貫通孔や基板の内部ガス抜き孔を塞いでしまうこと
がある。さらに、上部絶縁板が破壊された場合には、電極群が電池外部へ飛ぶ出す危険性もある。
【００３８】
本発明においては、図１に示すように、電極群側へと湾曲した構造とすることで、特に中央部のガスの圧力に対する強度を高くすることで、電極群の移動を抑えることができる。そのため、内部ガス抜き孔１９へのガス流路を確保することができ、また電極群の飛び出しも防止できる。したがって、電池の安全性を向上させることができる。また、排出されるガスの圧力によって、上部絶縁板が封口板側に移動した場合であっても、上部絶縁板が電極群の方向に湾曲している構造であるため、上部絶縁板の外縁部が封口板と接触して電極群の移動を抑えることが可能となる。その結果、封口板と上部絶縁板と間の空間が保持され、封口板のガス排出流路が塞がれることを防ぐことができる。
【００３９】
上部絶縁板８Ａの曲率は、曲率が大きくなるにつれ、強度は強くなるが電池内部空間の利用効率が低下するため、０．０２／ｍｍ以上０．０７／ｍｍ以下であることが望ましい。
【００４０】
さらに、上部絶縁板８Ａの厚みは、厚み大きくなるにつれ、強度は強くなるが電池内部空間の利用効率が低下するため、０．３ｍｍ〜１．０ｍｍであることが望ましい。
【００４１】
なお、上部絶縁板の貫通孔２１の形状、個数は、図２に図示した形態に限定されない。
【００４２】
また、非水電解質二次電池の種類は特に制限されないが、例えば、リチウムイオン二次電池では、正極板の正極活物質として、リチウムニッケル系複合酸化物を用いた場合、本発明の効果がより発揮される。正極活物質としてリチウムニッケル系複合酸化物を用いた場合、異常時のガス発生量は、コバルト系に比べて、３倍程度大きくなるため、上記課題は顕在化する畏れがあるが、この場合でも、本発明により効果を得ることができる。
【実施例】
【００４３】
本発明の実施例を説明する。なお、本発明は、以下の実施例に限定されるものではない。
【００４４】
以下のようにして、リチウムイオン二次電池からなる試験体を作製した。
【００４５】
（実施例１）
（１）正極の作製
正極活物質として、平均粒径が１２μｍであるＬｉＮｉ０．８Ｃｏ０．１５Ａｌ０．０５Ｏ２を使用した。正極活物質１００重量部、結着剤ポリフッ化ビニリデンフルオライド１．７重量部、及び導電剤アセチレンブラック２．５重量部を液状成分に混合させて正極合剤ペーストを調製した。
【００４６】
その正極合剤ペーストを、アルミニウム箔からなる正極集電体の両面に、正極リード６の接続部分を除いて塗布し、乾燥して正極合剤層を形成した。そのようにして、正極の前駆体を作製し、その後、それを圧延して、正極を得た。このとき、厚みが１２８μｍとなるように正極の前駆体を圧延した。また、正極集電体として使用したアルミニウム箔の長さは６６７ｍｍ、幅は５７ｍｍ、厚さは１５μｍであった。また、正極リード６の接続部分は、後述するように、正極の巻始めの部分に形成した。
【００４７】
（２）負極の作製
負極活物質として平均粒径が２０μｍのグラファイトを使用した。負極活物質１００重量部と、結着剤ポリフッ化ビニリデンフルオライド０．６重量部と、増粘剤カルボキシメ
チルセルロース１重量部と、適量の水とを、双腕式練合機にて攪拌し、負極ペーストを得た。
【００４８】
その負極合剤ペーストを、銅箔からなる負極集電体の両面に、負極リード７の接続部分を除いて塗布し、乾燥して負極合剤層を形成した。そのようにして、負極の前駆体を作製し、その後、それを圧延して、負極を得た。このとき、厚みが１５５μｍとなるように負極の前駆体を圧延した。また、負極集電体として使用した銅箔の長さは７４５ｍｍ、幅は５８．５ｍｍ、厚さは８μｍであった。また、負極リード７の接続部分は負極の巻終わりの部分に形成した。負極リード７は、上記接続部分に超音波溶接法により接続した。
【００４９】
（３）非水電解質の調整
非水電解質は、エチレンカーボネートとエチルメチルカーボネートとを１対１の体積比で混合した混合溶媒に、六フッ化リン酸リチウム（ＬｉＰＦ６）を１．０ｍｏｌ／Ｌの濃度で溶解することにより調製した。
【００５０】
（４）封口板の作製
図１に示した封口板５を作製した。上側弁板１３および下側弁板１５はアルミニウム製とした。端子板１１は鉄製とした。基板１６はアルミニウム製とした。組立体用ガスケット１４はポリプロピレン製とした。
【００５１】
（５）電池の組立
上述のようにして作製した正極および負極を、間にセパレータ４を介在させて積層し、積層体を得た。セパレータ４には、厚さが２０μｍであるポリエチレン製の多孔膜を使用した。得られた積層体の正極の巻き始めの部分に正極リード６を接続し、負極の巻き終わりの部分に負極リード７を接続した。その状態で、上記積層体を渦巻き状に巻回して電極群１８を得た。
【００５２】
そのようにして得られた電極群１８を鉄製の電池ケース１に収納した。このとき、正極リード６を周縁部にポリプロピレン製のガスケット９を取り付けた封口板５の基板１６にレーザー溶接法により溶接し、負極リード７を電池ケース１の底部に抵抗溶接法により溶接した。電池ケース１は、直径（外径）が１８ｍｍ、高さが６５ｍｍ、缶壁の厚みが０．１５ｍｍであるものを使用した。この電池ケース１の厚みは、通常市販されている円筒形のリチウムイオン二次電池の電池ケースの厚みに近いものである。また、電極群１８の上側に、湾曲したポリプロピレン製の上部絶縁板８Ａ（ａ＝１８ｍｍ、ｂ＝０．５ｍｍ、曲率０．０１／ｍｍ、厚み０．１５ｍｍ）を、電極群１８側へ湾曲する方向で配置し、電極群１８の下側には、下部絶縁板８Ｂを配設した。ここで、曲率は、図３に示す寸法ａ、ｂを測定し、２ｂ／｛（ａ／２）２＋ｂ２｝の値を計算することで求めた。
【００５３】
そして、電池ケース１内に非水電解質を注入した後、電池ケース１の開口端部より５ｍｍの位置において、電池ケース１を周方向に一周するように、内側に突出する電池ケース溝部１７（図１参照）を形成し、これにより電極群１８を電池ケース１の内部に上部絶縁板８Ａを介して保持した。
【００５４】
次に、電池ケース溝部１７の上に載せるようにして、封口板５をガスケット９を介して電池ケース１の開口部に配置した後、電池ケース１の開口部を内側に曲げるようにかしめて、電池ケース１を封口した。以上のようにして、直径が１８ｍｍ、高さが６５ｍｍである円筒形のリチウムイオン二次電池からなる試験体を１０個作製した。このリチウムイオン二次電池の設計容量は２６００ｍＡｈであった。
【００５５】
（実施例２）
ポリプロピレン製の上部絶縁板８Ａ（ａ＝１８ｍｍ、ｂ＝１．０ｍｍ、曲率０．０２／ｍｍ、厚み０．３ｍｍ）を使用したこと以外は、実施例１と同様にして１０個のリチウムイオン二次電池からなる試験体を作製した。
【００５６】
（実施例３）
ポリプロピレン製の上部絶縁板８Ａ（ａ＝１８ｍｍ、ｂ＝１．０ｍｍ、曲率０．０２／ｍｍ、厚み１．０ｍｍ）を使用したこと以外は、実施例１と同様にして１０個のリチウムイオン二次電池からなる試験体を作製した。
【００５７】
（実施例４）
ポリプロピレン製の上部絶縁板８Ａ（ａ＝１８ｍｍ、ｂ＝１．０ｍｍ、曲率０．０２／ｍｍ、厚み１．５ｍｍ）を使用したこと以外は、実施例１と同様にして１０個のリチウムイオン二次電池からなる試験体を作製した。
【００５８】
（比較例１）
ポリプロピレン製の上部絶縁板８Ａ（平板状、厚み０．３ｍｍ）を使用したこと以外は、実施例１と同様にして１０個のリチウムイオン二次電池からなる試験体を作製した。
【００５９】
（比較例２）
ポリプロピレン製の上部絶縁板８Ａ（平板状、厚み１．０ｍｍ）を使用したこと以外は、実施例１と同様にして１０個のリチウムイオン二次電池からなる試験体を作製した。
【００６０】
（比較例３）
ポリプロピレン製の上部絶縁板８Ａ（平板状、厚み１．５ｍｍ）を使用したこと以外は、実施例１と同様にして１０個のリチウムイオン二次電池からなる試験体を作製した。
【００６１】
（加熱試験）
作製された各１０個の試験体に対して、以下のような条件で加熱試験を実施した。まず、２５℃の環境の下で１５００ｍＡの電流により電池電圧が４．２５Ｖとなるまで充電した。充電後の試験体をホットプレートの上に置き、２５℃から２００℃まで毎秒１℃ずつ温度が上昇するように加熱した。そして、電池ケース１に小さな亀裂が発生した試験体の個数をカウントした。その結果を、下記表１に示す。
【００６２】
【表１】
2012204226.tif 000003
【００６３】
表１に示すように、実施例１〜４においては試験体に亀裂は生じなかった。実施例１〜４を分解したところ、上部絶縁板の湾曲した形状により、電極群の迫り上がりを抑制できていることが確認できた。したがって、封口板の基板の内部ガス抜き孔が塞がれることなく、ガス流路が確保されたため、電池ケースに亀裂が生じなかったと考えられる。
【００６４】
これに対して、比較例１においては試験体に亀裂が生じたものが７個あった。この試作体を分解したところ、上部絶縁板が電極群の迫上がりを抑制できずに、電極群により封口板のガス流路である基板の内部ガス抜き孔を塞いでいることが確認できた。したがって、内部圧力が過大となったため電池ケースに亀裂が生じてしまったと考えられる。
【００６５】
また、実施例の電池は、実施例２のように、上部絶縁板の厚みを０．３ｍｍとかなり薄くしても亀裂は生じていない。よって、比較例１〜３と比べたときに、厚みを大きくすること以上の効果が得られていることが分かる。
【００６６】
以上のように、湾曲した上部絶縁板を用いることにより、電極群の迫上がりが大きく抑制され、封口板のガス流路である基板の内部ガス抜き孔が、電極群により塞がれてしまうのを防止することができ、電池の安全性が向上する。
【産業上の利用可能性】
【００６７】
本発明によれば、安全性がさらに向上された円筒形電池を提供することができる。このような本発明の円筒形電池は、特にパーソナルコンピュータ、携帯電話、モバイル機器、携帯情報端末（ＰＤＡ）、携帯用ゲーム機器並びにビデオカメラ等の携帯用電子機器の電源として有用である。また、ハイブリッドカー、電気自動車、燃料電池自動車等の交通用機器において、その電動機の駆動を補助する電源としても有用である。また、電動工具、掃除機、およびロボット等の駆動用電源としても有用であり、プラグインＨＥＶの動力源としても有用である。
【符号の説明】
【００６８】
１    電池ケース
２    正極
３    負極
４    セパレータ
５    封口板
６    正極リード
７    負極リード
８Ａ  上部絶縁板
８Ｂ  下部絶縁板
９    ガスケット
１０    電池
１１    端子板
１２    ＰＴＣサーミスタ板
１３    上側弁板
１５    下側弁板
１４    組立体用ガスケット
１６    基板
１７    電池ケース溝部
１８    電極群
１９    内部ガス抜き孔
２０    外部ガス抜き孔
２１    貫通孔
【図１】
2012204226.tif 000004
【図２】
2012204226.tif 000005